(57)【要約】【課題】突出部分を小さくしてキャビネットの内部スペースの有効利用を図ることができるとともに、短絡事故の影響を他の機器に波及させることがない直流給電キャビネットを提供する。【解決手段】キャビネット筐体の内部に、正極バー９と負極バー６とからなる電源バーを所定の間隔で配置するとともに、これらの電源バーから負荷に電力を供給するための接続部材１３を所定間隔で配置する。電源バーと各接続部材１３との間にヒューズユニット２０を接続し、負荷への給電がヒューズユニット２０を介して行われるようにした。【選択図】図４
2014027766.tif 000002
【特許請求の範囲】
【請求項１】
キャビネット筐体の内部に、電源バーを所定の間隔で配置するとともに、これらの電源バーから各々の負荷に電力を供給するための接続部材を各々配置し、これらの電源バーと接続部材との間にヒューズユニットを接続したことを特徴とする直流給電キャビネット。
【請求項２】
ヒューズユニットを、電源バーの正極バーと接続部材との間に接続したことを特徴とする請求項１記載の直流給電キャビネット。
【請求項３】
ヒューズユニットを、接続部材よりも奥行方向の位置で、キャビネット筐体の内部に露出させて配置したことを特徴とする請求項１または２記載の直流給電キャビネット。
【請求項４】
ヒューズユニットを、接続部材に装着したことを特徴とする請求項１記載の直流給電キャビネット。
【発明の詳細な説明】
【技術分野】
【０００１】
本発明は、キャビネット内部の機器に対して直流給電が可能な直流給電キャビネットに関するものである。なお直流給電キャビネットとは直流給電が可能なキャビネットを意味し、従来と同様の交流給電手段を併用したキャビネットをも包含するものである。
【背景技術】
【０００２】
キャビネット内部の機器に対して直流給電が可能な直流給電キャビネットとしては、特許文献１に示されるように、樹脂部品により覆われた電源バーをキャビネットの内部に配置した構造のものがある。この特許文献１の直流給電キャビネットは、電源バーやアダプタ等を完全に樹脂部品で覆い、着脱自在とした構造である。しかしこの直流給電キャビネットは、負荷に電源を供給するための接続部材を接続すると突出部分が大きくなり、キャビネットの内部スペースの有効利用を図る上での障害となるという問題があった。また、電源バーやアダプタ等を完全に樹脂部品で覆い、着脱自在としてあるため、交換は容易であるものの部品点数が多くなるという問題があった。
【０００３】
なお、このようなキャビネット内に搭載されるサーバ等の機器に短絡事故が発生した場合には、他の機器にも影響が及ぶおそれがある。そこで特許文献１には各サーバにヒューズを取付けることが記載されている。しかしこのヒューズは短絡電流からヒューズが取り付けられたサーバを保護することはできるものの、他のサーバを保護することはできず、ヒューズが取り付けられていないサーバに影響が出ることを避けられなかった。またヒューズは定期的な点検や交換の必要があるが、サーバを点検する作業者が不用意に触ることは好ましくないという矛盾した要求があった。
【先行技術文献】
【特許文献】
【０００４】
【特許文献１】特開２００５−１８４９９３号公報
【発明の概要】
【発明が解決しようとする課題】
【０００５】
従って本発明の主な目的は上記した従来の問題点を解決し、突出部分を小さくしてキャビネットの内部スペースの有効利用を図ることができるとともに、短絡事故の影響を他の機器に波及させることがない直流給電キャビネットを提供することである。また本発明の他の目的は、サーバを点検する作業者がヒューズに不用意に触ることをなくした直流給電キャビネットを提供することである。
【課題を解決するための手段】
【０００６】
上記の課題を解決するためになされた本発明の直流給電キャビネットは、キャビネット筐体の内部に、電源バーを所定の間隔で配置するとともに、これらの電源バーから各々の負荷に電力を供給するための接続部材を各々配置し、これらの電源バーと接続部材との間にヒューズユニットを接続したことを特徴とするものである。
【０００７】
請求項２のように、ヒューズユニットを電源バーの正極バーと接続部材との間に接続した構造とすることができる。また請求項３のように、ヒューズユニットを接続部材よりも奥行方向の位置で、キャビネット筐体の内部に露出させて配置した構造とすることができる。さらに請求項４のように、ヒューズユニットを、接続部材に装着した構造とすることができる。
【発明の効果】
【０００８】
本発明の直流給電キャビネットは、キャビネット筐体の内部に配置された電源バーと接続部材との間にヒューズユニットを接続したものであるから、電源バーからヒューズユニットを介して各負荷に電力が供給されることとなるので、短絡事故の影響が他の機器に波及しない。
【０００９】
なお請求項３のように、ヒューズユニットを接続部材よりも奥行方向の位置で、キャビネット筐体の内部に露出させて配置した構造としておけば、サーバを点検する作業者がヒューズに不用意に触ることがなく、しかもヒューズの定期的な点検や交換も容易に行うことができる。
【図面の簡単な説明】
【００１０】
【図１】本発明の直流給電キャビネットの構造を説明する斜視図である。
【図２】部分拡大斜視図である。
【図３】要部の水平断面図である。
【図４】電源バーへの接続部材の取付け状態を示す斜視図である。
【図５】ヒューズユニットが装着された接続部材の斜視図である。
【図６】ヒューズユニットが装着された接続部材の斜視図である。
【図７】ヒューズユニット単体の斜視図である。
【発明を実施するための形態】
【００１１】
以下に本発明の実施形態を説明する。
図１は本発明の直流給電キャビネットの構造を説明する斜視図であり、図２はその部分拡大斜視図である。これらの図中、１は縦フレーム、２は横フレーム、３は奥行フレームである。これらの１２本のフレームによりキャビネット筐体の骨格構造を形成している。また４は各縦フレーム１の内側近傍に平行配置されたマウントレールであり、多数の機器取付孔を備えて様々な高さに各種機器を取り付けることができるようになっている。図２、図３に示すように、縦フレーム１とマウントレール４との間にはカバー１０が取付けられている。
【００１２】
この実施形態のキャビネットはサーバ等の負荷機器を収納するためのものであり、サーバ等の負荷機器に直流電源を供給するために、キャビネットのキャビネット筐体奥側のマウントレール４と側板との間に上下方向に延びる電源バーを配置してある。このようにキャビネットの奥側部分に電源バーを配置したのは、サーバ等の背面に接続されている電源プラグに直流電源を供給し易いためである。しかし電源バーの位置は必ずしもこの実施形態に限定されるものではなく、前面側とすることも可能である。図１に示される５はキャビネットの底部に配置された直流電源ユニットである。なお、直流電源ユニットはマウントレールに取り付けられていてもよく、その取り付け位置も底部近傍が好ましいが特に限定されない。
【００１３】
電源バーは負極バー６と正極バー９とからなる。図３に示すように、縦フレーム１の内側には負極バー６が支持部材７によって垂直に支持されている。また負極バー６と平行に、クリートと呼ばれる円柱状の絶縁部材８を介して正極バー９が所定の間隔で積層状に支持されている。これらの負極バー６と正極バー９とによって構成される電源バーの下端部は、直流電源ユニット５に接続されている。電源バーの積層方向は、キャビネットの奥行方向とすることが好ましい。
【００１４】
図３に示されるように、負極バー６と正極バー９とは、一方のバーを他方のバーに対してバ−の幅方向にずらして配置してある。この実施形態では負極バー６を外側とし、正極バー９を内側としてある。このような配置とすれば、正極バー９とキャビネットの側板までの絶縁距離を確保することができる。なお負極バー６はマウントレール４に固定することもでき、必ずしも縦フレーム１に支持させなくても差支えない。
【００１５】
このように負極バー６を正極バー９に対して幅方向にずらせて外側に配置したので、負極バー６の側方に空間部が形成される。本実施形態では、負極バー６の内側とカバー１０との間に形成される空間部に、接続部材１３が各々配置される。この接続部材１３はサーバ等の負荷と接続して直流給電を行うためのもので、上下方向に所定のピッチで多数設けられている。なおカバー１０は縦フレーム１とマウントレール４との間に配置された板であり、図２に示すようにコネクタ１２の前面の差込部１７を露出させる開口部を備えている。
【００１６】
図４に示すように、接続部材１３は負荷から引き出された電源プラグと接続するコネクタ１２をケース部１４で保持しており、このケース部１４を電源バーの負極バー６に固定することによって所定位置に支持されている。なお、接続部材１３には図５に示すように、コネクタ１２に電力を供給する正極側接続端子１８と負極側接続端子１９とが設けられている。前記したように負極バー６と正極バー９はずらして配置されているので、電源バーの露出部分が形成される。露出部分とは所定の間隔で積層した双方の電源バーを積層方向からみた場合に、表側にある一方の電源バー全体と裏側にある他方の電源バーのうち一方の電源バーと重ならない部分とをいう。本実施形態では、積層方向からみた正極バー６全体の面と、負極バー９のうち正極バーに隠されずに露出している部分が露出部分である。
【００１７】
図４〜図６に示すように、接続部材１３にはヒューズユニット２０が装着されている。図７はヒューズユニット２０のみを示す斜視図であり、ボックス状のユニット本体２１と、このユニット本体２１に対して着脱自在に取り付けられるヒューズ素子２２とからなる。ヒューズ素子２２は、事故発生時や定期点検などの際に交換が容易な差し込み構造となっている。図４、図６に示されるように、ヒューズ素子２２の差し込み方向はコネクタ１２へのプラグ差込方向と同一となっている。なおユニット本体２１とヒューズ素子が一体的に形成されていて着脱できず、ヒューズユニット２０ごと交換するものであってもよい。
【００１８】
ユニット本体２１の両端からは２本の接続線２３，２４が延びている。接続線２３は正極バー９にネジで接続されるバー接続線であり、２４は接続部材１３の正極側接続端子１８と接続される端子接続線である。バー接続線２３の接続状態は図３、図４に示され、端子接続線２４の接続状態は図５に示されている。この結果、正極バー９→バー接続線２３→ヒューズユニット２０→端子接続線２４→正極側接続端子１８の経路で電流が流れることとなり、電源バーである正極バー９と接続部材１３との間にヒューズユニット２０が挿入された状態となる。
【００１９】
図３、図６に示されるように、ヒューズユニット２０は接続部材１３よりも奥行方向の位置で、キャビネットキャビネット筐体の内部に露出させて配置されている。これによりヒューズ素子２２の交換が容易に行えるうえ、背面側から行われるサーバの点検時や設置作業時には作業員がヒューズユニット２０に接触しにくい構造としてある。
【００２０】
なお、図３、図５に示される２５は接続部材１３に搭載されたコンデンサである。各接続部材１３にそれぞれコンデンサ２５を配置することにより、サーバ等の負荷機器の電圧変動を吸収することができる利点がある。ただしこのコンデンサ２５は本発明の要部ではない。
【００２１】
以上のように構成された本発明の直流給電キャビネットは、接続部材１３のコネクタ１２に負荷から引き出された電源プラグを接続して使用されるものであるが、電源バーである正極バー９と接続部材１３との間にヒューズユニット２０が接続されているため、サーバ等の各負荷には必ずヒューズユニット２０を通じて給電される。このため何れかの負荷において短絡事故が発生しても、その負荷に対応するヒューズによって回路が遮断され、短絡電流が消滅するので、他の負荷に影響が及ぶことがない。
【００２２】
また、ヒューズユニット２０は接続部材１３と電源バーとの間に配置されているため、突出部分を小さくしてキャビネットの内部スペースの有効利用を図ることができる。さらに上記の実施形態のようにヒューズユニット２０を配置しておけば、サーバを点検する作業者がヒューズに不用意に触る可能性を低くするとともに、ヒューズ素子２２の交換を容易に行うことができる。
【符号の説明】
【００２３】
１  縦フレーム
２  横フレーム
３  奥行フレーム
４  マウントレール
５  直流電源ユニット
６  負極バー
７  支持部材
８  絶縁部材
９  正極バー
１０  カバー
１２  コネクタ
１３  接続部材
１４  ケース部
１８  正極側接続端子
１９  負極側接続端子
２０  ヒューズユニット
２１  ユニット本体
２２  ヒューズ素子
２３  接続線
２４  接続線
２５  コンデンサ
【図１】
2014027766.tif 000003
【図２】
2014027766.tif 000004
【図３】
2014027766.tif 000005
【図４】
2014027766.tif 000006
【図５】
2014027766.tif 000007
【図６】
2014027766.tif 000008
【図７】
2014027766.tif 000009